(57)【要約】  【課題】本発明は、装置規模を不要に拡大することなく、ジャム復旧後の作業性向上と装置のパフォーマンス向上とをその必要性に応じて適宜実現することが可能な画像形成装置を提供することを目的とする。  【解決手段】本発明に係る画像形成装置１００は、排紙トレイ１１０と、排紙トレイ１１０への用紙排出口に設置された第１センサ１０９ａと、用紙排出口への用紙搬送経路上に設置された第２センサ１０９ｂと、画像データを格納するメモリと、を有して成り、装置が第１の動作状態であれば、第２センサ１０９ｂで用紙通過が検出された時点で、当該用紙Ｐに対応する画像データを消去し、装置が第２の動作状態であれば、第１センサ１０９ａで用紙通過が検出されるまで、画像データの消去を待機する構成としている。【選択図】      図２
2006010727.tif 000002
【特許請求の範囲】
【請求項１】
装置から排出された用紙を収納する排紙トレイと、該排紙トレイへの用紙排出口に設置された第１センサと、前記用紙排出口への用紙搬送経路上に設置された第２センサと、画像データを格納するメモリと、を有して成り、装置が第１の動作状態であれば、第２センサで用紙の通過が検出された時点で、当該用紙に対応する画像データを前記メモリから消去し、装置が第２の動作状態であれば、第１センサで用紙の通過が検出されるまで、当該用紙に対応する画像データの消去を待機することを特徴とする画像形成装置。
【請求項２】
第１センサで用紙の到達が検出されてから所定時間経過後も当該用紙の通過が検出されない場合、装置が第１の動作状態であれば、前記排紙トレイが満杯であると判断し、装置が第２の動作状態であれば、前記用紙排出口にてジャムが発生していると判断することを特徴とする請求項１に記載の画像形成装置。
【請求項３】
装置から排出された用紙を収納する排紙トレイと、該排紙トレイへの用紙排出口に設置されたセンサと、画像データを格納するメモリと、を有して成り、装置が第１の動作状態であれば、前記センサで用紙の到達が検出された時点で、当該用紙に対応する画像データを前記メモリから消去し、装置が第２の動作状態であれば、前記センサで用紙の通過が検出されるまで、当該用紙に対応する画像データの消去を待機することを特徴とする画像形成装置。
【請求項４】
前記センサで用紙の到達が検出されてから所定時間経過後も当該用紙の通過が検出されない場合、装置が第１の動作状態であれば、前記排紙トレイが満杯であると判断し、装置が第２の動作状態であれば、前記用紙排出口にてジャムが発生していると判断することを特徴とする請求項３に記載の画像形成装置。
【発明の詳細な説明】
【技術分野】
【０００１】
本発明は、画像形成装置（複写機、プリンタ、ファクシミリ、或いは、それらの機能を併せ持つ複合機など）に関するものである。
【背景技術】
【０００２】
従来より、排紙トレイの満杯を検知するペーパフルセンサを備え、排紙トレイの満杯検知時には、その旨をユーザ報知するとともに、その画像形成動作を中断する画像形成装置が種々開示・提案されている（例えば、特許文献１を参照）。また、従来より、用紙搬送経路上のジャムを検知するジャムセンサを備え、ジャム検知時には、その旨をユーザ報知するとともに、その画像形成動作を中断する画像形成装置も種々開示・提案されている。なお、このような画像形成装置では、最末端となるジャムセンサ（通常、定着部の直後段に設置されたジャムセンサ）で用紙の正常通過が検出された場合、それ以降にジャムを生じる可能性は極めて低いという前提の下、当該用紙に関する画像形成処理は完了したと判断して、当該用紙に対応する画像データをメモリから消去する構成（画像データの上書き処理を認容する構成）が一般に採用されていた。
【０００３】
また、従来より、用紙排出口にセンサを備えた用紙取扱い装置であって、当該用紙排出口にオプション機器が装着されていなければ、前記センサの検出結果に基づいてペーパフル検知を行い、オプション機器が装着されていれば、同センサの検出結果に基づいてジャム検知を行う用紙取扱い装置も開示・提案されている（例えば、特許文献２を参照）。
【特許文献１】特開平８−８１１０９号公報
【特許文献２】特開２００２−２８４４４０号公報
【発明の開示】
【発明が解決しようとする課題】
【０００４】
確かに、上記のごとく、最末端のジャムセンサにおける用紙の通過検出時点で、当該用紙に対応する画像データをメモリから消去する構成であれば、メモリの不要な圧迫を解消し、装置のパフォーマンス向上を図ることが可能である。
【０００５】
しかしながら、上記構成から成る画像形成装置では、上記前提に反して用紙排出口付近でジャムが生じた場合、当該用紙に対応する画像データが既に消去されているため、画像データの再取得（原稿の再取込や画像形成ジョブの再入力など）を行わねば、ジャム復旧後の画像形成動作を再開することができない、という課題があった。このような画像データの再取得作業は、装置が直接操作されている状況（例えば、ユーザが原稿の複写操作を行っている状況）でジャムを生じたのであればともかく、装置が遠隔操作されている状況（例えば、ユーザがネットワーク経由でリモート印刷を行っている状況）では非常に煩わしいものとなっていた。特に、受信中のファクシミリ画像を印刷している最中に、用紙排出口付近でジャムが生じた場合、ユーザは、ジャム復旧後の画像形成動作再開に際して、送信者にファクシミリの再送信を依頼せねばならず、非常に使い勝手が悪かった。
【０００６】
なお、上記課題を解決する最も単純な手段としては、ジャムセンサを用紙排出口近傍に別途追設し、当該ジャムセンサが用紙の正常通過を検出した時点で、当該用紙に対応する画像データを消去する構成が容易に推考される。しかしながら、このような構成では、ジャムセンサの個数が不要に増大するため、コストの上昇や製造工程の複雑化が招かれる、という課題があった。
【０００７】
また、このような構成では、装置の動作状態に依ることなく、常に装置のパフォーマンス向上が犠牲にされるので、ジャム復旧後の作業性向上を優先すべき状況（例えば、受信ファクシミリ画像の印刷時）には好適であるが、装置のパフォーマンス向上を優先すべき状況（例えば、原稿の多部数複写時）には必ずしも好適と言えなかった。
【０００８】
なお、特許文献２に記載の従来技術は、シート後処理装置の装着によってペーパフルセンサの設置位置が用紙排出口でなくなることに鑑み、上記センサでジャム検知を行う構成としたものであり、その目的は、あくまで、ペーパフル検知用に設けられた上記センサの有効活用に絞られていた。すなわち、当該従来技術は、本願発明とその目的を異にするものであり、上記課題を解決し得るものではなかった。
【０００９】
本発明は、上記の問題点に鑑み、装置規模を不要に拡大することなく、ジャム復旧後の作業性向上と装置のパフォーマンス向上とをその必要性に応じて適宜実現することが可能な画像形成装置を提供することを目的とする。
【課題を解決するための手段】
【００１０】
上記の目的を達成するために、本発明に係る画像形成装置は、装置から排出された用紙を収納する排紙トレイと、該排紙トレイへの用紙排出口に設置された第１センサと、前記用紙排出口への用紙搬送経路上に設置された第２センサと、画像データを格納するメモリと、を有して成り、装置が第１の動作状態であれば、第２センサで用紙の通過が検出された時点で、当該用紙に対応する画像データを前記メモリから消去し、装置が第２の動作状態であれば、第１センサで用紙の通過が検出されるまで、当該用紙に対応する画像データの消去を待機する構成としている。このような構成とすることにより、多部数コピー時やローカルプリンタ出力時などには、装置のパフォーマンス向上を優先し、逆に、受信ファックス印刷時や少部数コピー時、リモートプリンタ出力時などには、ジャム復旧後の作業性向上を優先することができるので、装置規模を不要に拡大することなく、ジャム復旧後の作業性向上と装置のパフォーマンス向上とをその必要性に応じて適宜実現することが可能となる。
【００１１】
なお、上記構成から成る画像形成装置は、第１センサで用紙の到達が検出されてから所定時間経過後も当該用紙の通過が検出されない場合、装置が第１の動作状態であれば、前記排紙トレイが満杯であると判断し、装置が第２の動作状態であれば、前記用紙排出口にてジャムが生じていると判断する構成にするとよい。このような構成とすることにより、その必要性に応じて、第１センサをペーパフル検出用及びジャム検出用として兼用することが可能となる。
【００１２】
若しくは、本発明に係る画像形成装置は、装置から排出された用紙を収納する排紙トレイと、該排紙トレイへの用紙排出口に設置されたセンサと、画像データを格納するメモリと、を有して成り、装置が第１の動作状態であれば、前記センサで用紙の到達が検出された時点で、当該用紙に対応する画像データを前記メモリから消去し、装置が第２の動作状態であれば、前記センサで用紙の通過が検出されるまで、当該用紙に対応する画像データの消去を待機する構成としてもよい。このような構成とすることにより、単一のセンサによって、上記と同様の効果を奏することが可能となる。
【００１３】
なお、上記構成から成る画像形成装置は、前記センサで用紙の到達が検出されてから所定時間経過後も当該用紙の通過が検出されない場合、装置が第１の動作状態であれば、前記排紙トレイが満杯であると判断し、装置が第２の動作状態であれば、前記用紙排出口にてジャムが生じていると判断する構成にするとよい。このような構成とすることにより、上記と同様、その必要性に応じて、第１センサをペーパフル検出用及びジャム検出用として兼用することが可能となる。
【発明の効果】
【００１４】
上記したように、本発明に係る画像形成装置であれば、装置規模を不要に拡大することなく、ジャム復旧後の作業性向上と装置のパフォーマンス向上とをその必要性に応じて適宜実現することが可能となる。
【発明を実施するための最良の形態】
【００１５】
以下では、複写機、プリンタ、ファクシミリの機能を併せ持つ画像形成装置（複合機）に本発明を適用した場合を例に挙げて説明を行う。
【００１６】
図１は本発明に係る画像形成装置の一実施形態を模式的に示す垂直断面正面図である。本図に示すように、本実施形態の画像形成装置１００は、カセット式給紙部１０１と、手差し給紙部１０２と、用紙搬送部１０３と、原稿送り部１０４と、光学部１０５と、画像形成部１０６と、転写部１０７と、定着部１０８と、排出部１０９と、排紙トレイ１１０と、を有して成る。なお、図中の実線矢印は、用紙Ｐの搬送経路を示している。
【００１７】
また、本図には示していないが、本実施形態の画像形成装置１００には、上記構成要素の他にも、装置各部を統括制御する制御部（ＣＰＵ［Central Processing Unit］等）、各種情報を表示する表示部、ユーザ操作を受け付ける操作部、制御プログラムの格納領域や画像データの格納領域及び展開領域として用いられるメモリ部、ネットワークを介して接続された情報処理装置との間で通信を行う通信部、及び、画像データとファクシミリ信号との相互変換を行うモデムや公衆電話回線との接続を確立する網制御部、といった回路要素が各種具備されている。
【００１８】
カセット式給紙部１０１には、印刷前の用紙Ｐ（カットペーパなど）が積載して収容され、ここから１枚ずつ分離して用紙Ｐが送り出される。また、手差し給紙部１０２には、カセット式給紙部１０１に入っていないサイズの用紙Ｐや、ＯＨＰシートのように１枚ずつ送り込みたいものが載置される。カセット式給紙部１０１から送り出された用紙Ｐは、用紙搬送部１０３により画像形成装置１００本体の側面に沿って垂直に、手差し給紙部１０２から送り出された用紙Ｐは水平に搬送され、転写部１０７に至る。
【００１９】
ユーザが原稿の複写を行う場合には、原稿送り部１０４に、文字や図形、模様等の画像が描かれた原稿を積載する。原稿送り部１０４では１枚ずつ分離して原稿が送り出され、光学部１０５によってその画像データが読み取られる。そして、画像形成部１０６によって原稿画像の静電潜像が作られる。この静電潜像からトナー像が形成され、トナー像は、転写部１０７にて、用紙搬送部１０３によって同期をとって送られてきた印刷前の用紙Ｐに転写される。
【００２０】
その後、未定着トナー像を担持した用紙Ｐは、定着部１０８へと送られ、熱ローラによりトナー像が定着される。定着部１０８から排出された用紙Ｐは、排出部１０９から機外の排紙トレイ１１０に排出される。
【００２１】
次に、本発明の特徴部分である排出部１０９の構成について、図２を参照しながら詳細に説明する。図２は、排出部１０９の一実施形態を示す模式図である。
【００２２】
図２に示すように、本実施形態の排出部１０９は、排紙トレイ１１０への用紙排出口に設置された第１センサ１０９ａと、前記用紙排出口への用紙搬送経路上に設置された第２センサ１０９ｂと、を有して成る。
【００２３】
第１、第２センサ１０９ａ、１０９ｂは、用紙の検出／未検出に応じて、その出力信号の論理状態（オン状態／オフ状態）が変遷する光学式或いは機械式のセンサ手段である。従って、第１、第２センサ１０９ａ、１０９ｂのオン／オフ状態を監視することで、各センサにつき、用紙の到達（オフ状態からオン状態への遷移）及び通過（オン状態からオフ状態への遷移）を検出することができる。
【００２４】
なお、第１センサ１０９ａは、上記した用紙の到達及び通過のほか、排紙トレイ１１０が満杯であるか否かについても検知対象とすべく、排紙トレイ１１０に積載された用紙Ｐが所定量に達した時点で、当該用紙Ｐの存在に起因して、その出力信号が継続的にオン状態となる位置に設けられている。
【００２５】
次に、第１、第２センサ１０９ａ、１０９ｂの検知結果に基づく装置制御について、図３を参照しながら詳細に説明する。図３は、第１、第２センサ１０９ａ、１０９ｂの検知結果に基づく装置制御の一例を説明するためのテーブル図である。
【００２６】
本図に示す通り、本実施形態の画像形成装置１００は、その動作状態に応じて、第１、第２センサ１０９ａ、１０９ｂの検知結果に基づく装置制御の内容を適宜変更する点に特徴を有している。
【００２７】
より具体的に述べると、本実施形態の画像形成装置１００は、その動作状態が、多部数コピー時やローカルプリンタ出力時など、ジャム復旧後の作業性向上よりも装置のパフォーマンス向上を優先すべき動作状態（以下、第１の動作状態と呼ぶ）であるか、或いは、受信ファックス印刷時や少部数コピー時、リモートプリンタ出力時など、装置のパフォーマンス向上よりもジャム復旧後の作業性向上を優先すべき動作状態（以下、第２の動作状態と呼ぶ）であるか、に応じて、第１、第２センサ１０９ａ、１０９ｂの検知結果に基づく装置制御の内容を変更する構成とされている。
【００２８】
以下、画像形成装置１００が第１の動作状態である場合と、第２の動作状態である場合とに分けて、各々第１、第２センサ１０９ａ、１０９ｂの検知結果に基づく装置制御の内容を詳細に説明する。
【００２９】
まず、装置が第１の動作状態である場合について、第２センサ１０９ｂの検知結果に基づく装置制御の内容を説明する。
【００３０】
第２センサ１０９ｂで用紙Ｐの通過が検出された場合、すなわち、第２センサ１０９ｂがオン状態からオフ状態へ遷移した場合、画像形成装置１００は、その時点で、それ以降にジャムを生じる可能性は極めて低いという前提の下、用紙Ｐに関する画像形成処理が完了したと判断し、当該用紙Ｐに対応する画像データをメモリ部から消去する。このような画像データの早期消去処理により、メモリ部の不要な圧迫を解消し、装置のパフォーマンス向上を図ることが可能となる。
【００３１】
一方、第２センサ１０９ｂで用紙Ｐの到達が検出されてから所定時間経過後も当該用紙Ｐの通過が検出されない場合、すなわち、第２センサ１０９ｂのオン状態が所定時間以上継続した場合、画像形成装置１００は、用紙搬送経路でジャムが生じていると判断し、当該用紙Ｐに対応する画像データをメモリ部に保持しつつ、その画像形成動作を中断する。このようなジャム検出時の画像データ保持処理により、ジャム復旧後の画像形成動作を速やかに再開することが可能となる。なお、上記した画像形成動作の中断に際し、画像形成装置１００は、ユーザによるジャム復旧作業の作業性や安全性を向上すべく、ジャムが生じた旨を表示部等で報知するとともに、画像形成部１０６における現像トナーの撹拌や定着部１０８における定着ローラの昇温を停止する。
【００３２】
次に、装置が第１の動作状態である場合について、第１センサ１０９ａの検知結果に基づく装置制御の内容を説明する。
【００３３】
第１センサ１０９ａで用紙Ｐの通過が検出された場合、すなわち、第１センサ１０９ａがオン状態からオフ状態へ遷移した場合、画像形成装置１００は、未だ排紙トレイ１１０に用紙Ｐを積載し得る空きがあると判断する。なお、当該用紙Ｐに対応する画像データについては、前述した通り、第２センサ１０９ｂによる用紙Ｐの通過検出時点で既にメモリ部から消去されているため、この時点で特段メモリ操作が為されることはない。
【００３４】
一方、第１センサ１０９ａで用紙Ｐの到達が検出されてから所定時間経過後も当該用紙Ｐの通過が検出されない場合、すなわち、第１センサ１０９ａのオン状態が所定時間以上継続した場合、画像形成装置１００は、排紙トレイ１１０が満杯であると判断し、その画像形成動作を中断する。なお、上記した画像形成動作の中断に際し、画像形成装置１００は、排紙トレイ１１０が満杯である旨を表示部等で報知する一方、画像形成部１０６における現像トナーの撹拌や定着部１０８における定着ローラの昇温を継続する。このようなペーパフル検出時の動作継続処理により、ペーパフル復旧後の画像形成動作を速やかに再開することが可能となる。なお、ペーパフル検出時に排出された用紙Ｐについては、既にその画像形成及び排出が完了しているため、それに対応する画像データが消去されていても、画像形成動作の再開に支障が生じることはない。
【００３５】
続いて、装置が第２の動作状態である場合について、第２センサ１０９ｂの検知結果に基づく装置制御の内容を説明する。
【００３６】
第２センサ１０９ｂで用紙Ｐの通過が検出された場合、すなわち、第２センサ１０９ｂがオン状態からオフ状態へ遷移した場合、画像形成装置１００は、用紙搬送経路でジャムは生じていないと判断する。その際、画像形成装置１００は、第１の動作状態と異なり、用紙Ｐに関する画像形成処理が完了したとは判断せず、当該用紙Ｐに対応する画像データをメモリ部に保持し続ける。
【００３７】
一方、第２センサ１０９ｂで用紙Ｐの到達が検出されてから所定時間経過後も当該用紙Ｐの通過が検出されない場合、すなわち、第２センサ１０９ｂのオン状態が所定時間以上継続した場合、画像形成装置１００は、第１の動作状態と同様、用紙搬送経路でジャムが生じていると判断し、当該用紙Ｐに対応する画像データをメモリ部に保持しつつ、その画像形成動作を中断する。このようなジャム検出時の画像データ保持処理により、ジャム復旧後の画像形成動作を速やかに再開することが可能となる。なお、上記した画像形成動作の中断に際し、画像形成装置１００は、ユーザによるジャム復旧作業の作業性や安全性を向上すべく、ジャムが生じた旨を表示部等で報知するとともに、画像形成部１０６における現像トナーの撹拌や定着部１０８における定着ローラの昇温を停止する。
【００３８】
次に、装置が第１の動作状態である場合について、第１センサ１０９ａの検知結果に基づく装置制御の内容を説明する。
【００３９】
第１センサ１０９ａで用紙Ｐの通過が検出された場合、すなわち、第１センサ１０９ａがオン状態からオフ状態へ遷移した場合、画像形成装置１００は、用紙Ｐに関する画像形成処理が完了したと判断し、当該用紙Ｐに対応する画像データをメモリ部から消去する。
【００４０】
一方、第１センサ１０９ａで用紙Ｐの到達が検出されてから所定時間経過後も当該用紙Ｐの通過が検出されない場合、すなわち、第１センサ１０９ａのオン状態が所定時間以上継続した場合、画像形成装置１００は、第１の動作状態と異なり、排紙トレイ１１０が満杯であると判断するのではなく、用紙排出口でジャムが生じていると判断し、当該用紙Ｐに対応する画像データをメモリ部に保持しつつ、その画像形成動作を中断する。このようなジャム検出時の画像データ保持処理により、ジャム復旧後の画像形成動作を速やかに再開することが可能となる。なお、上記した画像形成動作の中断に際し、画像形成装置１００は、ユーザによるジャム復旧作業の作業性や安全性を向上すべく、ジャムが生じた旨を表示部等で報知するとともに、画像形成部１０６における現像トナーの撹拌や定着部１０８における定着ローラの昇温を停止する。
【００４１】
上記した通り、本実施形態の画像形成装置１００は、装置が第１の動作状態であれば、第２センサ１０９ｂで用紙Ｐの通過が検出された時点で、当該用紙Ｐに対応する画像データをメモリ部から消去し、装置が第２の動作状態であれば、第１センサ１０９ａで用紙Ｐの通過が検出されるまで、当該用紙Ｐに対応する画像データの消去を待機する構成としている。このような構成とすることにより、多部数コピー時やローカルプリンタ出力時などには、装置のパフォーマンス向上を優先し、逆に、受信ファックス印刷時や少部数コピー時、リモートプリンタ出力時などには、ジャム復旧後の作業性向上を優先することができるので、装置規模を不要に拡大することなく、ジャム復旧後の作業性向上と装置のパフォーマンス向上とをその必要性に応じて適宜実現することが可能となる。
【００４２】
また、本実施形態の画像形成装置１００は、第１センサ１０９ａで用紙Ｐの到達が検出されてから所定時間経過後も当該用紙Ｐの通過が検出されない場合、装置が第１の動作状態であれば、排紙トレイ１１０が満杯であると判断し、装置が第２の動作状態であれば、用紙排出口にてジャムが生じていると判断する構成としている。このような構成とすることにより、多部数コピー時やローカルプリンタ出力時などには、出力部数が多く排紙トレイ１１０が満杯になり易いことや、用紙排出口でジャムが生じた場合でもその復旧に必要となる画像データの再取得がさほど煩雑でないことに鑑み、排紙トレイ１１０のペーパフル監視を優先し、逆に、受信ファックス印刷時や少部数コピー時、リモートプリンタ出力時などには、出力部数が少なく排紙トレイ１１０が満杯になり難いことや、用紙排出口でジャムが生じた場合にはその復旧に必要となる画像データの再取得が煩雑であることに鑑み、用紙排出口のジャム監視を優先することができる。従って、その必要性に応じ、第１センサ１０９ａをペーパフル検出用及びジャム検出用として兼用することが可能となる。
【００４３】
なお、上記の実施形態では、排紙トレイ１１０への用紙排出口に設置された第１センサ１０９ａと、前記用紙排出口への用紙搬送経路上に設置された第２センサ１０９ｂと、を有して成る構成を例に挙げて説明を行ったが、本発明の構成はこれに限定されるものではなく、例えば、定着部１０８から排紙トレイ１１０までの経路が短く、用紙排出口にのみセンサが設けられている場合にも、上記装置制御の内容に若干の変更を加えることで適用することが可能となる。具体的に述べると、装置が第１の動作状態であれば、前記単一センサで用紙Ｐの到達が検出された時点、すなわち、前記単一センサがオフ状態からオン状態に遷移した時点で、当該用紙Ｐに対応する画像データをメモリ部から消去し、装置が第２の動作状態であれば、前記単一センサで用紙Ｐの通過が検出されるまで、すなわち、前記単一センサがオン状態からオフ状態に遷移するまで、当該用紙Ｐに対応する画像データの消去を待機する構成とすればよい（図４を参照）。このような構成とすることにより、単一のセンサによって、上記と同様の効果を奏することが可能となる。
【００４４】
なお、上記構成から成る画像形成装置は、前記単一センサで用紙Ｐの到達が検出されてから所定時間経過後も当該用紙Ｐの通過が検出されない場合、装置が第１の動作状態であれば、排紙トレイ１１０が満杯であると判断し、装置が第２の動作状態であれば、用紙排出口にてジャムが生じていると判断する構成にするとよい（図４を参照）。このような構成とすることにより、先述の実施形態と同様、その必要性に応じて、単一のセンサをペーパフル検出用及びジャム検出用として兼用することが可能となる。
【００４５】
また、上記の実施形態では、本発明を複合機に適用する構成を例に挙げて説明を行ったが、本発明の適用対象はこれに限定されるものではなく、複写機、プリンタ、ファクシミリなど、各々単独の機能を備えた画像形成装置にも広く適用することが可能である。
【００４６】
また、本発明の構成は、上記実施形態のほか、発明の主旨を逸脱しない範囲で種々の変更を加えることが可能である。
【産業上の利用可能性】
【００４７】
本発明は、複写機、プリンタ、ファクシミリ、或いは、それらの機能を併せ持つ複合機などのユーザビリティ向上を図る上で有用な技術である。
【図面の簡単な説明】
【００４８】
【図１】は、本発明に係る画像形成装置の一実施形態を模式的に示す垂直断面正面図である。
【図２】は、排出部１０９の一実施形態を示す模式図である。
【図３】は、第１、第２センサ１０９ａ、１０９ｂの検知結果に基づく装置制御の一例を説明するためのテーブル図である。
【図４】は、単一センサの検知結果に基づく装置制御の一例を説明するためのテーブル図である。
【符号の説明】
【００４９】
１００    画像形成装置
１０１    カセット式給紙部
１０２    手差し給紙部
１０３    用紙搬送部
１０４    原稿送り部
１０５    光学部
１０６    画像形成部
１０７    転写部
１０８    定着部
１０９    排出部
１０９ａ    第１センサ（ペーパフルセンサ兼ジャムセンサ）
１０９ｂ    第２センサ（ジャムセンサ）
１１０    排紙トレイ
Ｐ    用紙
【図１】
2006010727.tif 000003
【図２】
2006010727.tif 000004
【図３】
2006010727.tif 000005
【図４】
2006010727.tif 000006